(57)【要約】      （修正有）【課題】部品収納部に収納される部品が破損することを未然かつ有効に防止し得る信頼性の高いテープ状部品包装体を提案する。【解決手段】その長手方向に沿って、一面側に部品を収納するための部品収納部が当該部品１４の高さよりも浅い深さで順次形成されたキャリアテープ１１と、キャリアテープ１１の一面に一定の張力をもって貼着されたカバーテープ１２とを設け、カバーテープ１２の張力によって、キャリアテープ１１の部品収納部に収納された部品１４を部品収納部内に押さえ込むようにした。【選択図】図１
2005219781.tif 000002
【特許請求の範囲】
【請求項１】
その長手方向に沿って、一面側に部品を収納するための部品収納部が当該部品の高さよりも浅い深さで順次形成されたキャリアテープと、
上記キャリアテープの上記一面に一定の張力をもって貼着されたカバーテープと
を具え、
上記カバーテープの上記張力によって、上記キャリアテープの上記部品収納部に収納された上記部品を当該部品収納部内に押さえ込むようにした
ことを特徴とするテープ状部品包装体。
【請求項２】
上記カバーテープは、
上記キャリアテープの上記部品収納部の近傍位置に貼着された
ことを特徴とする請求項１に記載のテープ状部品包装体。
【請求項３】
上記カバーテープは、
上記キャリアテープの上記部品収納部の近傍位置と、幅方向の両端位置とに貼着された
ことを特徴とする請求項１に記載のテープ状部品包装体。
【請求項４】
上記部品収納部は、上記部品を収納する凹部でなり、
上記凹部間に、当該凹部に収納された上記部品に対する飛び出しを防止するための凸部が設けられた
ことを特徴とする請求項１に記載のテープ状部品包装体。
【請求項５】
上記部品収納部は、上記部品を収納する凹部でなり、
上記部品は、一面に複数の突起電極が形成された電子部品でなり、
上記凹部の内周側面に上記電子部品を支持するための所定高さの段部が設けられた
ことを特徴とする請求項１に記載のテープ状部品包装体。
【請求項６】
上記段部は、
上記電子部品の上記最外周の突起電極に対応させて、波形状に形成された
ことを特徴とする請求項５に記載のテープ状部品包装体。
【請求項７】
上記部品収納部は、上記部品を収納する形状でなり、
上記部品は、所定方向に突出する複数のリード端子を有する電子部品でなり、
上記凹部内において上記電子部品のリード端子が浮いた状態で保持し、上記凹部の底面に当該凹部内における上記電子部品の動きを規制するような突起が設けられている
ことを特徴とする請求項１に記載のテープ状部品包装体。
【請求項８】
一面側に部品を収納するための部品収納部がその長手方向に沿って順次形成されたキャリアテープの各上記部品収納部に上記部品を順次収納する部品収納手段と、
上記キャリアテープの上記一面側に、一定の張力をもって、かつ当該張力によって上記キャリアテープの上記部品収納部に収納された上記部品を当該部品収納部内に押さえ込むようにカバーテープを貼着するカバーテープ貼着手段と
を具えることを特徴とする部品包装装置。
【請求項９】
上記カバーテープ貼着手段は、
上記キャリアテープの一面上に上記カバーテープの両面端を圧接する第１の加工手段と、
上記キャリアテープの上記部品収納部と上記カバーテープの両面端の各間に、上記カバーテープを圧接して貼着する第２の加工手段と
を具えることを特徴とする請求項8に記載の部品包装装置。
【請求項１０】
上記第１の加工手段は、
上記キャリアテープの一面上に上記カバーテープの両面端を圧接して貼着する
ことを特徴とする請求項９に記載の部品包装装置。
【請求項１１】
上記第１及び又は第２の加工手段は、
上記カバーテープを加熱する加熱部と、上記カバーテープを冷却する冷却部と
を有し、
上記加熱部と上記冷却部が一体として動作する
ことを特徴とする請求項９又は請求項１０に記載の部品包装装置。
【請求項１２】
一面側に部品を収納するための部品収納部がその長手方向に沿って順次形成されたキャリアテープの各上記部品収納部に上記部品を順次収納する第１の工程と、
上記キャリアテープの上記一面側に、一定の張力をもって、かつ当該張力によって上記キャリアテープの上記部品収納部に収納された上記部品を当該部品収納部内に押さえ込むようにカバーテープを貼着する第２の工程と
を具えることを特徴とする部品包装方法。
【請求項１３】
上記第２の工程には、
上記キャリアテープの一面上に上記カバーテープの両面端を圧接する第１のステップと、
上記キャリアテープの上記部品収納部と上記カバーテープの両面端の各間に、上記カバーテープを圧接して貼着する第２のステップと
を具えることを特徴とする請求項１２に記載の部品包装方法。
【請求項１４】
上記第１のステップでは、
上記キャリアテープの一面上に上記カバーテープの両面端を圧接して貼着する
ことを特徴とする請求項１３に記載の部品包装方法。
【請求項１５】
上記第１及び又は第２のステップでは、
上記カバーテープを加熱した後、上記カバーテープを冷却する
ことを特徴とする請求項１３又は請求項１４に記載の部品包装方法。
【発明の詳細な説明】
【技術分野】
【０００１】
本発明は、テープ状部品包装体並びに部品包装装置及び部品包装方法に関し、例えば電子部品を収納して搬送するためのテープ状部品包装体に適用して好適なものである。
【背景技術】
【０００２】
従来、この種のテープ状部品包装体として図１７に示すように構成されたものがある。
【０００３】
かかるテープ状部品包装体１においては、キャリアテープ２及びカバーテープ３から構成されている。この場合キャリアテープ２は、熱可塑性樹脂テープを加熱成型することにより形成されており、その一面２Ａ側に長手方向に沿って一定間隔で電子部品を収納するための凹部（以下、これをエンボス部と呼ぶ）４が順次形成されている。
【０００４】
またキャリアテープ２の幅方向の一端側には所定ピッチで送り穴５が穿設されており、かくして送り穴５を基準としてキャリアテープ２をその長手方向に一定速度で間歇的に走行させることができるようになされている。
【０００５】
さらにカバーテープ３においては、ポリエチレン等の可塑性樹脂材を用いてテープ状に形成されており、その幅方向の両端側を熱圧着させるようにしてキャリアテープ２の一面２Ａ側に貼着されている。
【０００６】
これによりこのテープ状部品包装体１においては、キャリアテープ２の各エンボス部４内にそれぞれ収納された電子部品をカバーテープ３によってエンボス部４の外部に飛び出さないように保持することができるようになされている。
【０００７】
なお、このようなテープ状部品包装体１についての先行技術文献としては、以下の非特許文献１がある。
【非特許文献１】特願平７−２３４１８号
【発明の開示】
【発明が解決しようとする課題】
【０００８】
ところで、かかるテープ状部品包装体１は、図１８のようにキャリアテープ２の各エンボス部４内に電子部品５が収納され、これらエンボス部４を覆うようにその一面２Ａ側にカバーテープ３が貼着された後に、図１９のようにリール６に何重にも巻き付けられた状態で搬送される。
【０００９】
この場合、キャリアテープ２の各エンボス部４に収納された電子部品５は搬送時における振動等によってエンボス部４内を動くため、これに起因して当該電子部品５の突起電極５Ａ（図１８）がエンボス部４の底面と擦れ又は衝突することにより、当該突起電極５Ａに破損や黒化を生じさせる問題があった。
【００１０】
かかる問題を解決するための１つの方法として、図１８との対応部分に同一符号又は同一符号に「´」を付した図２０に、キャリアテープ２´のエンボス部４´内に電子部品５の突起電極５Ａの高さよりも高い段部６を設け、当該段部６においてエンボス部４´内に収納された電子部品５を支えるようにして当該電子部品５を保持する方法が考えられる。
【００１１】
そしてこの方法によれば、電子部品５が搬送時における振動等に応じてキャリアテープ２´のエンボス部４´内を動いた場合においても、電子部品５の突起電極５Ａがエンボス部４´の底面に接触することに起因する当該突起電極５Ａの破損や黒化が生じるのを有効に防止できるものと考えられる。
【００１２】
しかしながらこのような方法によると、電子部品５の成型時における寸法のばらつきやキャリアテープ２´の成型時におけるエンボス部４´の寸法のばらつきによっては、搬送時における振動等によって電子部品５が段部６から落ちてしまい、この時の衝突によって電子部品５の突起電極５Ａが破損したり、当該電子部品５の取り出し時に不具合を生じさせるおそれがあった。
【００１３】
本発明は以上の点を考慮してなされたもので、電子部品の破損を未然かつ有効に防止し得る信頼性の高いテープ状部品包装体並びに部品包装装置及び部品包装方法を提案しようとするものである。
【課題を解決するための手段】
【００１４】
かかる課題を解決するため本発明においては、その長手方向に沿って、一面１１Ａ側に部品１４を収納するための部品収納部１３が当該部品１４の高さよりも浅い深さで順次形成されたキャリアテープ１１と、キャリアテープ１１の一面１１Ａに一定の張力をもって貼着されたカバーテープ１２とを設け、カバーテープ１２の張力によって、キャリアテープ１１の部品収納部１３に収納された部品１４を部品収納部１３内に押さえ込むようにした。
【００１５】
これにより部品１４を部品収納部１３内に保持させておくことができるため、振動等によって部品１４が部品収納部１３内を移動することに起因する当該部品１４の破損を未然かつ有効に防止できる。
【００１６】
またかかる課題を解決するため本発明においては、一面１１Ａ側に部品１４を収納するための部品収納部１３がその長手方向に沿って順次形成されたキャリアテープ１１の各部品収納部１３に部品１４を順次収納する部品収納手段と、キャリアテープ１１の一面１１Ａ側に、一定の張力をもって、かつ当該張力によってキャリアテープ１１の部品収納部１３に収納された部品１４を当該部品収納部１３内に押さえ込むようにカバーテープ１２を貼着するカバーテープ貼着手段とを設けるようにした。
【００１７】
これにより部品１４を部品収納部１３内に保持させておくことができるため、振動等によって部品１４が部品収納部１３内を移動することに起因する当該部品１４の破損を未然かつ有効に防止できる。
【００１８】
さらにかかる課題を解決するため本発明においては、一面１１Ａ側に部品１４を収納するための部品収納部１３がその長手方向に沿って順次形成されたキャリアテープ１１の各部品収納部１３に部品１４を順次収納する第１の工程と、キャリアテープ１１の一面１１Ａ側に、一定の張力をもって、かつ当該張力によってキャリアテープ１１の部品収納部１３に収納された部品１４を当該部品収納部１３内に押さえ込むようにカバーテープ１２を貼着する第２の工程とを設けるようにした。
【００１９】
これにより部品１４を部品収納部１３内に保持させておくことができるため、振動等によって部品１４が部品収納部１３内を移動することに起因する当該部品１４の破損を未然かつ有効に防止できる。
【発明の効果】
【００２０】
上述のように本発明においては、その長手方向に沿って、一面側に部品を収納するための部品収納部が当該部品の高さよりも浅い深さで順次形成されたキャリアテープと、キャリアテープの一面に一定の張力をもって貼着されたカバーテープとを設け、カバーテープの張力によって、キャリアテープの部品収納部に収納された部品を部品収納部内に押さえ込むようにしたことにより、部品を部品収納部内に保持させておくことができるため、振動等によって部品が部品収納部内を移動することに起因する当該部品の破損を未然かつ有効に防止でき、かくして信頼性の高いテープ状部品包装体を実現できる。
【００２１】
また上述のように本発明においては、一面側に部品を収納するための部品収納部がその長手方向に沿って順次形成されたキャリアテープの各部品収納部に部品を順次収納する部品収納手段と、キャリアテープの一面側に、一定の張力をもって、かつ当該張力によってキャリアテープの部品収納部に収納された部品を当該部品収納部内に押さえ込むようにカバーテープを貼着するカバーテープ貼着手段とを設けるようにしたことにより、部品を部品収納部内に保持させておくことができるため、振動等によって部品が部品収納部内を移動することに起因する当該部品の破損を未然かつ有効に防止でき、かくして信頼性の高い部品包装装置を実現できる。
【００２２】
さらに上述のように本発明においては、一面側に部品を収納するための部品収納部がその長手方向に沿って順次形成されたキャリアテープの各部品収納部に部品を順次収納する第１の工程と、キャリアテープの一面側に、一定の張力をもって、かつ当該張力によってキャリアテープの部品収納部に収納された部品を当該部品収納部内に押さえ込むようにカバーテープを貼着する第２の工程とを設けるようにしたことにより、部品を部品収納部内に保持させておくことができるため、振動等によって部品が部品収納部内を移動することに起因する当該部品の破損を未然かつ有効に防止でき、かくして信頼性の高い部品包装方法を実現できる。
【発明を実施するための最良の形態】
【００２３】
以下図面について、本発明の一実施の形態を詳述する。
【００２４】
（１）第１の実施の形態によるテープ状部品包装体の構成
（１−１）第１の実施の形態によるテープ状部品包装体の全体構成
図１において、１０は全体として第１の実施の形態によるテープ状部品包装体を示し、キャリアテープ１１及びカバーテープ１２から構成されている。
【００２５】
キャリアテープ１１においては、熱可塑性樹脂テープを加熱成型することにより形成されており、その一面１１Ａ側の幅方向のほぼ中央部にエンボス部１３が長手方向に沿って一定間隔で順次形成され、突起電極１４Ａが複数形成された電子部品１４を収納し得るようになされていると共に、これらエンボス部１３にそれぞれ対応させて幅方向の一端側に送り穴１５が穿設されている。
【００２６】
またこのキャリアテープ１１の一面１１Ａ側には、その長手方向に沿ってエンボス部１３を挟むように第１及び第２の溝部１６Ａ、１６Ｂが形成されており、これによりリール６（図１９）に巻き付けられたときに、外周側のエンボス部１３の底面の外側面によって内周側のエンボス部１３内に収納された電子部品１４が当該エンボス部１３の底面に押し付けられるのを未然かつ有効に防止し得るようになされている。
【００２７】
さらにキャリアテープ１１においては、第１及び第２の溝部１６Ａ、１６Ｂにより挟まれる部分（以下これを内側部１７と呼ぶ）が、エンボス部１３内に収納された電子部品１４の上面より低くなるように、すなわちエンボス部１３が電子部品１４の高さよりも浅い深さで選定されている。
【００２８】
一方、カバーテープ１２においては、ポリエチレン等の可撓性樹脂材を用いてテープ状に形成されており、内側部１７においてエンボス部１３と第１及び第２の溝部１６Ａ、１６Ｂの各間における第１の貼着部１８Ａ、１８Ｂに一定の張力をもって貼着されている。
【００２９】
これによりカバーテープ１２は、この張力によってエンボス部１３内の電子部品１４を当該エンボス部１３内に押さえ込むようになされている。
【００３０】
なお、カバーテープ１２においては、キャリアテープ１１の両端面のうち送り穴１５が穿設された幅方向の一端側を除いてその幅が選定されている。
【００３１】
（１−２）第１の実施の形態によるテープ状部品包装体の具体的構成
かかるエンボス部１３においては、図２に示すように、その内周側に所定高さの段部１３Ａが設けられている。この段部１３Ａの高さＨ１は、収納される電子部品１４の突起電極１４Ａの高さＨ２よりも僅かに大きく選定されており、これによりエンボス部１３に収納された電子部品１４の突起電極１４Ａがエンボス部１３の底面に接触しないように当該電子部品１４を支持するように保持し得るようになされている。
【００３２】
またこの段部１３Ａの端部には、当該端部と対向する当該電子部品１４の最外周の突起電極１４Ａにそれぞれ対応させて、これらの突起電極１４Ａを避ける方向に、かつ上側にいくに従ってこれらの突起電極１４Ａからより大きく離反するように湾曲した湾曲部１３ＡＸが形成されている。
【００３３】
この場合、各湾曲部１３ＡＸの湾曲形状は、図２のように電子部品１４がエンボス部１３の中央及びその近傍に位置している状態において、当該電子部品１４の突起電極１４Ａと接触しない形状に選定されている。
【００３４】
そして段部１３Ａの端部は、このような湾曲部１３ＡＸが連続して設けられることにより全体として波形状に形成されており、かくして段部１３Ａが当該波形形状の少なくともエンボス部１３の内側に突出する部位（各湾曲部１３ＡＸの連結部分）において電子部品１４の電極面における突起電極１４Ａ間を支持し得るようになされている。
【００３５】
これによりこのキャリアテープ１１においては、当該電子部品１４の最外周の突起電極１４Ａが段部１３Ａの端部と接触するのを有効に防止しながら段部１３Ａにおいて電子部品１４を支持し得るようになされている。
【００３６】
さらにこの場合エンボス部１３の深さは、収納対象の電子部品１４がエンボス部１３内に収納された場合において、当該電子部品１４の上面がかかるキャリアテープ１１の幅方向の端部よりも低い位置に位置するように選定されており、これによりエンボス部１３内に収納された電子部品１４を当該エンボス部１３内において安全に保持し得るようになされている。
【００３７】
かかる第１及び第２の溝部１６Ａ、１６Ｂにおいては、キャリアテープ１１の他面１１Ｂ側においてエンボス部１３よりも突出するように形成されている。
【００３８】
また第１及び第２の溝部１６Ａ、１６Ｂには、これら第１及び第２の溝部１６Ａ、１６Ｂよりも浅い深さの平坦部２０Ａ、２０Ｂがそれぞれ一定間隔で設けられており、これによりこれら平坦部２０Ａ、２０Ｂの存在によって、キャリアテープ１１における幅方向の第１及び第２の溝部１６Ａ、１６Ｂよりも外側部分が当該第１及び第２の溝部１６Ａ、１６Ｂの挟まれる部分に対して屈曲した状態に変形するのを有効に防止し得るようになされている。
【００３９】
ここで第１及び第２の溝部１６Ａ、１６Ｂにおいては、幅方向に対向する両側面がキャリアテープ１１の一面１１Ａと垂直に形成されており、その下部には幅方向の両側にその長手方向に沿ってエンボス部１３と同じ深さの段部（以下、これを溝段部と呼ぶ）１６Ｃが設けられている。
【００４０】
これによりこのテープ状部品包装体１０においては、図３に示すように、リール６（図１９）に巻き付けられたときに、外周側のキャリアテープ１１の第１及び第２の溝部１６Ａ、１６Ｂにおける各外側の溝段部１６Ｃの外側面をそれぞれ内周側のキャリアテープ１１の一面１１Ａにおいて支えるようにして外周側及び内周側のキャリアテープ１１間の距離を常に一定に保つことができ、かくして外周側のキャリアテープ１１のエンボス部１３及び内周側のキャリアテープ１１のエンボス部１３がリール６の径方向に重なり合った場合においても、外周側のエンボス部１３の底面の外側面によって内周側のエンボス部１３内に収納された電子部品１４が当該エンボス部１３の底面に押し付けられるのを未然かつ有効に防止し得るようになされている。
【００４１】
さらに第１及び第２の溝部１６Ａ、１６Ｂにおいては、底面における幅方向の中央部がその長手方向に沿って所定深さにＶ字状に窪むように成型されており、これによりこのＶ字部分１６Ｄの外側面をガイドとしてテープ状部品包装体１０を蛇行させることなくリール６（図１９）に巻き付け得ることができる。
【００４２】
一方、平坦部２０Ａ、２０Ｂにおいては、図1からも明らかなように、第１及び第２の溝部１６Ａ、１６Ｂにおける各エンボス部間１３間の中央位置にそれぞれ位置するように形成されている。この場合これら各平坦部２０Ａ、２０Ｂの深さは、図４に示すように、第１及び第２の溝部１６Ａ、１６ＢにおけるＶ字部分１６Ｄの高さよりも僅かに深くなるように選定されている。
【００４３】
これによりこのテープ状部品包装体１０においては、リール６（図１９）に巻き付けられた状態において、外周側のキャリアテープ１１の第１及び第２の溝部１６Ａ、１６ＢのＶ字部分１６Ｄが平坦部２０Ａ、２０Ｂに邪魔されることなく確実に内周側のキャリアテープ１１に対応する第１及び第２の溝部１６Ａ、１６Ｂに嵌まり込んで、外周側のキャリアテープ１１及び内周側のキャリアテープ１１間の距離を常に一定に保ち得るようになされている。
【００４４】
さらにこのキャリアテープ１１における各エンボス部１３間には、図１に示すように、エンボス部１３内に収納された電子部品１４の上面とほぼ同じ高さに突出するように所定幅の凸部１９が設けられており、これにより第１及び第２の溝部１６Ａ、１６Ｂ間をエンボス部１３内に収納された電子部品１４よりも低く形成したことに起因して、カバーテープ１２の剥離時に当該電子部品１４がエンボス部１３から飛び出すのを有効に防止し得るようになされている。
【００４５】
なおこの実施の形態の場合、かかる電子部品１４の飛び出し防止用の凸部１９は、キャリアテープ１１の幅方向におけるエンボス部１３の長さと同じ幅を持って各エンボス部１３間に形成（すなわちエンボス部１３間全体が凸部１９として形成）されており、これによりカバーテープ１２に生じた不必要に強い張力を持って当該カバーテープ１２により電子部品１４がエンボス部１３内に押し付けられることに起因する突起電極１４Ａの破損等の不具合の発生を未然に防止し得るようになされている。
【００４６】
（１−３）第１の実施の形態による部品包装装置の全体構成
ここで図５は、上述したキャリアテープ１１に電子部品１４を収納して包装する部品包装装置３０を示すものである。
【００４７】
この部品包装装置３０は、制御部（図示せず）によって全体の動作が制御されるようになされており、電子部品供給部３１、カバーテープ供給部３２及びテープ貼着部３３を有し、テープ巻き出し部３４及びテープ巻き取り部３５間に順次配設することにより構成されている。そしてこの部品包装装置３０では、テープ送り部３６によってテープ巻き出し部３４からキャリアテープ１１を一定速度で間歇的に順次引き出すと、その一面１１Ａ側を上面として搬送路３７を介して電子部品供給部３１に順次供給するようになされている。
【００４８】
この搬送路３７に供給されたキャリアテープ１１において、電子部品供給部３１はかかるキャリアテープ１１に形成されたエンボス部１３に電子部品１４を順次１つずつ収納する。
【００４９】
またカバーテープ供給部３２は、カバーテープ１２が巻回されたカバーテープ供給リール３２Ａを有し、当該カバーテープ１２をキャリアテープ１１の搬送路３７に順次供給するようになされている。
【００５０】
続いてテープ貼着部３３は、エンボス部１３と第１及び第２の溝部１６Ａ、１６Ｂの各間にカバーテープ１２を熱圧着させることにより、キャリアテープ１１のエンボス部１３と第１及び第２の溝部１６Ａ、１６Ｂの各間に当該カバーテープ１２を一定の張力をもたせて貼着するようになされている。
【００５１】
このようにしてこの部品包装装置３０においては、キャリアテープ１１の一面１１Ａ側のエンボス部１３に電子部品１４を収納し、カバーテープ１２で覆うと共に、キャリアテープ１１のエンボス部１３と第１及び第２の溝部１６Ａ、１６Ｂの各間に当該カバーテープ１２を一定の張力をもたせて、電子部品１４を押さえ込むように貼着することにより、テープ状部品包装体１０を製造することができ、この後このテープ状部品包装体１０をテープ巻き取り部３５に巻き取るようになされている。
【００５２】
（１−４）テープ貼着部の具体的構成
テープ貼着部３３においては、図６に示すように、キャリアテープ１１の搬送路３７に対して当該搬送方向と平行にテープ貼着アーム３８が設けられている。
【００５３】
この場合テープ貼着アーム３８においては、シリンダ（図示せず）の出力軸３９の先端に天板４０が取り付けられており、これにより出力軸３９及び天板４０を一体に動作させ得るようになされている。
【００５４】
また天板４０には、所定位置に貫通穴が複数形成されており、かかる天板４０の下側には、所定位置に所定長さのネジ加工をされた第１のシャフト（以下第１のシャフトと呼ぶ）４１が天板４０の上側に延長するように、当該天板４０に対して垂直に貫通穴を貫通して設けられている。
【００５５】
さらに第１のシャフト４１は、上端においては第１の固定ボルト４２によって天板４０を挟み込んでこれら第１のシャフト４１を締着させることにより、当該第１のシャフト４１及び天板４０を一体に動作させ得るようになされている一方、下端においては断面コ字状のテープ貼着加工部４３がかかる第１のシャフト４１に固定されて設けられている。
【００５６】
さらにテープ貼着加工部４３においては、キャリアテープ１１の搬送路３７に対して当該搬送方向と平行に第１のテープ圧着部４３Ａ、４３Ｂが設けられている。
【００５７】
これにより第１のテープ圧着部４３Ａ、４３Ｂにおいては、出力軸３９の上下動に応じて、第１のテープ圧着部４３Ａ、４３Ｂをキャリアテープ１１の搬送路３７に対して近接又は離反する方向に下降又は上昇する一方、当該第１のテープ圧着部４３Ａ、４３Ｂにおいてカバーテープ１２に圧接するようになされている。
【００５８】
一方、天板４０には、第１のシャフト４１の外側において第２のシャフト４４Ａ、４４Ｂが天板４０の上側に延長するように、当該天板４０に対して垂直に貫通穴を貫通して設けられている。
【００５９】
第２のシャフト４４Ａ、４４Ｂは、上端においてはかかる天板４０の上側に設けられた第２の固定ボルト４５Ａ、４５Ｂ及びかかる天板４０の下側に設けられた所定長さのバネ４６Ａ、４６Ｂによって天板４０を挟み込むことにより、保持されるようになされている一方、下端においてはテープ押さえ部４７Ａ、４７Ｂが第２のシャフト４４Ａ、４４Ｂに固定されて設けられ、これらテープ押さえ部４７Ａ、４７Ｂにおいてカバーテープ１２を圧接するようになされている。
【００６０】
これによりテープ貼着アーム３８においては、下降時において、テープ押さえ部４７Ａ、４７Ｂがカバーテープ１２を圧接していない場合には、テープ押さえ部４７Ａ、４７Ｂ、天板４０及び第１のテープ圧着部４３Ａ、４３Ｂを一体に下降させる一方、テープ押さえ部４７Ａ、４７Ｂがカバーテープ１２を圧接している場合には、バネ４６Ａ、４６Ｂの収縮によって天板４０及び第１のテープ圧着部４３Ａ、４３Ｂのみをさらに下降させるようになされている。
【００６１】
またテープ貼着アーム３８においては、上昇時において、天板４０が第２の固定ボルト４５Ａ、４５Ｂに接触していない場合には、天板４０及び第１のテープ圧着部４３Ａ、４３Ｂのみを上昇させる一方、天板４０が第２の固定ボルト４５Ａ、４５Ｂに接触している場合には、テープ押さえ部４７Ａ、４７Ｂ、天板４０及び第１のテープ圧着部４３Ａ、４３Ｂを一体に上昇させるようになされている。
【００６２】
なお第１のテープ圧着部４３Ａ、４３Ｂの位置においては、キャリアテープ１１の一面１１Ａ側のエンボス部１３と第１及び第２の溝部１６Ａ、１６Ｂの各間を圧接するように位置設定されていると共に、テープ押さえ部４７Ａ、４７Ｂの位置においては、カバーテープ１２の一面１２Ａ側の幅方向の両端側を圧接するように位置設定されている。
【００６３】
また長手方向におけるテープ押さえ部４７Ａ、４７Ｂの長さにおいては、第１のテープ圧着部４３Ａ、４３Ｂの長さに比べ長く設定されており、より有効にカバーテープ１２を保持させるようになされている。
【００６４】
実際上テープ貼着部３３においては、図７に示すように、まずカバーテープ供給リール３２Ａから搬送路３７に供給したカバーテープ１２を、キャリアテープ１１に合わせながら、出力軸３９を下方向に駆動させ、テープ貼着アーム３８を下降させてテープ押さえ部４７Ａ、４７Ｂをカバーテープ１２に圧接することにより、かかるカバーテープ１２を保持させる。
【００６５】
続いてテープ貼着部３３においては、図８に示すように、テープ押さえ部４７Ａ、４７Ｂにおいてカバーテープ１２が保持された状態で、さらに出力軸３９を下方向に駆動させて第１のテープ圧着部４３Ａ、４３Ｂを下降させることにより、カバーテープ１２に張力を発生させる。
【００６６】
続いてテープ貼着部３３においては、図９に示すように、一定の張力を保ちつつ第１のテープ圧着部４３Ａ、４３Ｂをさらに下降させることにより、第１のテープ圧着部４３Ａ、４３Ｂをエンボス部１３と第１及び第２の溝部１６Ａ、１６Ｂの各間におけるカバーテープ１２に圧接させる。
【００６７】
続いてテープ貼着部３３においては、出力軸３９を上方向に駆動させて、当該テープ貼着アーム３８を上昇させることにより、かかるテープ貼着アーム３８を元の位置に戻す。
【００６８】
このようにしてテープ貼着部３３は、第１のテープ圧着部４３Ａ、４３Ｂをエンボス部１３と第１及び第２の溝部１６Ａ、１６Ｂの各間におけるカバーテープ１２に圧接するようになされている。
【００６９】
なおテープ貼着部３３においては、電子部品１４の厚さの違いによって発生する張力のばらつきをバネ４６Ａ、４６Ｂの長さ及びばね定数並びに第２の固定ボルト４５Ａ、４５Ｂの位置を調整することにより、テープ押さえ部４７Ａ、４７Ｂの押さえ強さを調節し得るようになされている。
【００７０】
これによりテープ貼着部３３においては、第１のテープ圧着部４３Ａ、４３Ｂのカバーテープ１２の押圧量に応じて、当該カバーテープ１２を滑らすように移動させて電子部品１４にかかる張力を調節することにより、かくして電子部品１４の厚さにかかわりなく、カバーテープ１２の張力を常に一定にし得るようになされている。
【００７１】
かかる構成に加えてテープ貼着加工部４３においては、図１０に示すように、テープ巻き出し部３４（図５）側には、ヒータ等を用いることによって加熱される加熱加工部４８が設けられている一方、テープ巻き取り部３５（図５）側には、冷却水等を用いることによって冷却される冷却加工部４９が設けられている。
【００７２】
また加熱加工部４８においては、それぞれキャリアテープ１１の搬送路３７（図５）に対して当該搬送方向と平行に加熱部４８Ａ、４８Ｂ（図６における第１のテープ圧着部４３Ａ、４３Ｂ）が設けられている一方、冷却加工部４９においては、同様の構成で冷却部４９Ａ、４９Ｂ（図６における第１のテープ圧着部４３Ａ、４３Ｂ）が設けられており、当該第１のテープ圧着部４３Ａ、４３Ｂにおいて加熱部４８Ａ及び冷却部４９Ａ並びに加熱部４８Ｂ及び冷却部４９Ｂは一体となり動作するようになされている。
【００７３】
これにより第１のテープ圧着部４３Ａ、４３Ｂにおいては、エンボス部１３と第１及び第２の溝部１６Ａ、１６Ｂの各間にカバーテープ１２を圧接させた場合には、加熱部４８Ａ、４８Ｂにおいて当該カバーテープ１２を加熱する一方、冷却部４９Ａ、４９Ｂにおいて当該カバーテープ１２を冷却するようになされている。
【００７４】
また第１のテープ圧着部４３Ａ、４３Ｂにおいては、長手方向における加熱部４８Ａ、４８Ｂ及び冷却部４９Ａ、４９Ｂの長さがすべて同じ長さに設定されていると共に、テープ送り部３６の送りピッチに対応した所定長さに設定されており、これにより加熱部４８Ａ、４８Ｂにおいて加熱されたキャリアテープ１１及びカバーテープ１２の加熱部分を冷却部４９Ａ、４９Ｂに送るようになされている。
【００７５】
これにより第１のテープ圧着部４３Ａ、４３Ｂにおいては、加熱部４８Ａ、４８Ｂを圧接することによって加熱されたキャリアテープ１１及びカバーテープ１２の加熱部分を、テープ送り部３６において冷却部４９Ａ、４９Ｂに送った後、当該冷却部４９Ａ、４９Ｂを加熱されたキャリアテープ１１及びカバーテープ１２の加熱部分に圧接させて冷却することにより、かくしてかかるャリアテープ１１にカバーテープ１２を貼着するようになされている。
【００７６】
そしてテープ貼着部３３においては、第１のテープ圧着部４３Ａ、４３Ｂにおいて、これらを連続的に行い、順次加熱しながら冷却することにより、エンボス部１３と第１及び第２の溝部１６Ａ、１６Ｂの各間にカバーテープ１２を貼着させ、かくしてカバーテープ１２がかかる電子部品１４を押さえ込むようになされている。
【００７７】
（１−５）第１の実施の形態による動作及び効果
以上の構成において、このテープ状部品包装体１０においては、エンボス部１３を電子部品１４の高さよりも浅い深さに形成し、エンボス部１３と第１及び第２の溝部１６Ａ、１６Ｂの各間においてその長手方向に沿って一定の張力をもってカバーテープ１２をかかるエンボス部１３と第１及び第２の溝部１６Ａ、１６Ｂの各間に押さえ込むように貼着する。
【００７８】
これにより当該カバーテープ１２に張力を生じさせ、この張力に基づきカバーテープ１２によってエンボス部１３内の電子部品１４を当該エンボス部１３のエンボス段部１３Ａ内に保持させることができるため、振動等に起因する当該電子部品１４のエンボス部１３内での移動を防止することができる。
【００７９】
以上の構成によれば、このテープ状部品包装体１０においては、エンボス部１３が電子部品１４の高さよりも浅い深さに設けられ、エンボス部１３と第１及び第２の溝部１６Ａ、１６Ｂの各間においてその長手方向に沿ってカバーテープ１２をかかるエンボス部１３と第１及び第２の溝部１６Ａ、１６Ｂの各間に押さえ込むように貼着することにより、エンボス部１３内の電子部品１４を当該エンボス部１３のエンボス段部１３Ａ内に保持させることができるため、振動等に起因する当該電子部品１４のエンボス部１３内での移動を防止することができ、かくして収納された電子部品１４の破損を未然かつ有効に防止し得る信頼性の高いテープ状部品包装体を実現できる。
【００８０】
（２）第２の実施の形態によるテープ状部品包装体
（２−１）第２の実施の形態によるテープ状部品包装体の構成
図１との対応部分に同一符号を付して示す図１１において、５０は全体として第２の実施の形態におけるテープ状部品包装体を示し、上述した第１の実施の形態におけるテープ状部品包装体１０（図１）とは、キャリアテープ１１とカバーテープ１２において貼着位置が変更されていることを除いて同様に構成されている。
【００８１】
かかるテープ状部品包装体５０においては、第１の貼着部１８Ａ、１８Ｂに加え、当該第１の貼着部１８Ａ、１８Ｂよりも幅方向の両端側において、その長手方向に沿ってキャリアテープ１１の一面１１Ａ側にカバーテープ１２の両面端を貼着された第２の貼着部５１Ａ、５１Ｂが形成されている。
【００８２】
これによりこのテープ状部品包装体５０においては、第１の実施の形態によるテープ状部品包装体１０に比べ、カバーテープ１２の幅方向の両面端を貼着させたことにより、かかるカバーテープ１２の幅方向の両面端における揺動及び折れを有効に防止し得るようになされていると共に、万が一第１の貼着部１８Ａ、１８Ｂが貼着していない又は剥離した等のトラブルに対して、カバーテープ１２の幅方向の両面端においても、当該カバーテープ１２を貼着させることにより、当該電子部品１４の飛び出しを確実に防止し得るようになされている。
【００８３】
（２−２）第２の実施の形態による部品包装装置の構成
ここで図５において、６０は全体として第２の実施の形態による部品包装装置を示し、上述した第１の実施の形態による部品包装装置３０（図５）とは、テープ貼着部６１の構成を除いてと同様に構成されている。
【００８４】
テープ貼着部６１においては、図１２に示すように、テープ貼着アーム６２において、第２のテープ圧着部６３Ａ、６３Ｂが第１のテープ圧着部４３Ａ、４３Ｂと同様の構成によって、かかる第１の実施の形態によるテープ貼着アーム３８のテープ押さえ部４７Ａ、４７Ｂの代わりに設けられている。
【００８５】
またテープ貼着部６１において、第１のテープ圧着部４３Ａ、４３Ｂと第２のテープ圧着部６３Ａ、６３Ｂは同じ長さに選定されている。
【００８６】
実際上テープ貼着部６１においては、図１３に示すように、まずテープ供給リール３２Ａから搬送路３７に供給したカバーテープ１２を、キャリアテープ１１の一面１１Ａに合わせながら、出力軸３９を下方向に駆動させ、テープ貼着アーム６２を下降させることにより、第２のテープ圧着部６３Ａ、６３Ｂをカバーテープ１２の両面端に圧接させる。
【００８７】
その後テープ貼着部６１においては、第２のテープ圧着部６３Ａ、６３Ｂをカバーテープ１２に圧接させた状態で、さらに出力軸３９を下方向に駆動させ第１のテープ圧着部４３Ａ、４３Ｂを下降させることにより、カバーテープ１２に張力を発生させると共に、かかる第１のテープ圧着部４３Ａ、４３Ｂをエンボス部１３と第１及び第２の溝部１６Ａ、１６Ｂの各間におけるカバーテープ１２に圧接させる。
【００８８】
続いてテープ貼着部６１においては、出力軸３９を上方向に駆動させて、当該テープ貼着アーム６２を上昇させることにより、かかるテープ貼着アーム６２を元の位置に戻す。
【００８９】
このようにしてテープ貼着部６１は、第２のテープ圧着部６３Ａ、６３Ｂをカバーテープ１２の両面端に圧接すると共に、第１のテープ圧着部４３Ａ、４３Ｂをエンボス部１３と第１及び第２の溝部１６Ａ、１６Ｂの各間におけるカバーテープ１２に圧接するようになされている。
【００９０】
かかる構成に加えて第２のテープ圧着部６３Ａ、６３Ｂにおいては、図１４に示すように、テープ巻き出し部３４（図５）側には、ヒータ等を用いることによって加熱される加熱部６４Ａ、６４Ｂが設けられている一方、テープ巻き取り部３５（図５）側には、冷却水等を用いることによって冷却される冷却部６５Ａ、６５Ｂが設けられており、当該第２のテープ圧着部６３Ａ、６３Ｂにおいて加熱部６４Ａ及び冷却部６５Ａ並びに加熱部６４Ｂ及び冷却部６５Ｂは一体となり動作するようになされている。
【００９１】
これにより第２のテープ圧着部６３Ａ、６３Ｂにおいては、かかる第２のテープ圧着部６３Ａ、６３Ｂをカバーテープ１２の両面端に圧接させた場合には、加熱部６４Ａ、６４Ｂにおいて当該カバーテープ１２を加熱する一方、冷却部６５Ａ、６５Ｂにおいて当該カバーテープ１２を冷却するようになされている。
【００９２】
また第２のテープ圧着部６３Ａ、６３Ｂにおいては、長手方向における加熱部６４Ａ、６４Ｂ及び冷却部６５Ａ、６５Ｂの長さがすべて同じ長さに設定されている一方、長手方向における加熱部６４Ａ、６４Ｂ及び冷却部６５Ａ、６５Ｂの長さを第１のテープ圧着部４３Ａ、４３Ｂの加熱部４８Ａ、４８Ｂ及び冷却部４９Ａ、４９Ｂの長さと同じ長さに設定されている。
【００９３】
また第２のテープ圧着部６３Ａ、６３Ｂにおいては、テープ送り部３６の送りピッチに対応した所定長さに設定されており、これにより当該第１のテープ圧着部４３Ａ、４３Ｂの加熱部４８Ａ、４８Ｂにおいて加熱されたキャリアテープ１１及びカバーテープ１２の加熱部分を冷却部４９Ａ、４９Ｂに送るのと同時に、第２のテープ圧着部６３Ａ、６３Ｂの加熱部６４Ａ、６４Ｂにおいて加熱されたキャリアテープ１１及びカバーテープ１２の加熱部分を冷却部６５Ａ、６５Ｂに送るようになされている。
【００９４】
これにより第２のテープ圧着部６３Ａ、６３Ｂにおいては、加熱部６４Ａ、６４Ｂによって圧接することにより、加熱されたキャリアテープ１１及びカバーテープ１２の加熱部分をテープ送り部３６において冷却部６５Ａ、６５Ｂに送った後、当該冷却部６５Ａ、６５Ｂを加熱されたキャリアテープ１１及びカバーテープ１２の加熱部分に圧接させて冷却することにより、かくしてかかるャリアテープ１１にカバーテープ１２の両面端を貼着するようになされている。
【００９５】
そしてテープ貼着部６１においては、これらを連続的に行い、第２のテープ圧着部６３Ａ、６３Ｂにおいて、カバーテープ１２を順次加熱しながら冷却することにより、キャリアテープ１１にカバーテープ１２の両面端を貼着するようになされている。
【００９６】
ここでテープ貼着部６１においては、加熱部６４Ａ、６４Ｂのほうが加熱部４８Ａ、４８Ｂに比べ加熱温度が低く設定されていることにより、加熱部６４Ａ、６４Ｂをカバーテープ１２に圧接させた場合においても、すぐにキャリアテープ１１にカバーテープ１２を加熱させることなく、第１の実施の形態と同様に電子部品１４にかかる張力を常に一定にし得るようになされている一方、加熱部４８Ａ、４８Ｂよりも長い時間キャリアテープ１１及びカバーテープ１２に圧接することによって発生する撓みや溶け、切れ等の不具合を有効に防止し得るようになされている。
【００９７】
（２−３）第２の実施の形態による動作及び効果
以上の構成において、このテープ状部品包装体５０においては、第１の貼着部１８Ａ、１８Ｂよりも幅方向の両端側において、その長手方向に沿ってキャリアテープ１１の一面１１Ａ側カバーテープ１２の両面端を貼着する。
【００９８】
これによりカバーテープ１２の幅方向の両面端における揺動及び折れを有効に防止し得るようになされていると共に、万が一第１の貼着部１８Ａ、１８Ｂが貼着されていない又は剥離した等のトラブルに対して、カバーテープ１２の幅方向の両面端においても、カバーテープ１２を貼着されることにより、当該電子部品１４の飛び出しを確実に防止することができる。
【００９９】
以上の構成によれば、第１の貼着部１８Ａ、１８Ｂよりも幅方向の両端側において、その長手方向に沿ってキャリアテープ１１の一面１１Ａ側にカバーテープ１２の両面端を貼着することによりカバーテープ１２の幅方向の両面端における揺動及び折れを有効に防止することができると共に、万が一第１の貼着部１８Ａ、１８Ｂが貼着されていない又は剥離した等のトラブルに対して、カバーテープ１２の幅方向の両面端においても、カバーテープ１２を貼着されることにより、当該電子部品１４の飛び出しを確実に防止することができ、かくして収納された電子部品１４の破損を未然かつ有効に防止し得る信頼性の高いテープ状部品包装体を実現できる。
【０１００】
（３）他の実施の形態
なお上述の実施の形態においては、第１の貼着部１８Ａ、１８Ｂをエンボス部１３と第１及び第２の溝部１６Ａ、１６Ｂの各間にカバーテープ１２を貼着させて形成した場合について述べたが、本発明はこれに限らず、一定の張力をもって電子部品１４を押さえ込むようにカバーテープ１２を貼着するようなこの他種々のエンボス部１３の近傍位置に適用することができる。
【０１０１】
また上述の実施の形態においては、電極面に突起電極１４Ａが複数形成された電子部品１４を収納した場合について述べたが、本発明はこれに限らず、この種々の部品について広く適用することができる。
【０１０２】
さらに上述の実施の形態においては、エンボス部１３内の段部１３Ａの形状を図２について上述したような波形形状のようにした場合について述べたが、本発明はこれに限らず、段部１３Ａの形状としてはこの他種々の形状を広く適用することができ、又は段部１３Ａのないエンボス部１３の形状についても適用することができる。
【０１０３】
例えば図２の対応部分に同一番号を付して示すテープ状部品包装体（図１５）に示すように、ＱＦＰ（Quad Flat Package）型の電子部品７２を収納する場合に、エンボス部７３を電子部品７２の外形形状に対応させて各エンボス部７３の底面に突起部７４を設けるようにしても良い。
【０１０４】
これによりこのテープ状部品包装体７０では、エンボス部７３内に収納された電子部品７２を突起部７４によって動きを規制して、各リード端子７２Ａがエンボス部７３のどの内面にも接触しない状態に保持できる一方、カバーテープ１２をエンボス部７３と第１及び第２の溝部１６Ａ、１６Ｂの各間に貼着させた場合において、当該カバーテープ１２に張力を生じさせ、この張力に基づきカバーテープ１２によってエンボス部７３内の電子部品７２を当該エンボス部７３内の底辺に押さえ込むようにすることより、振動等に起因する当該電子部品７２のエンボス部７３内での移動を防止することができる。
【０１０５】
さらに上述の実施の形態においては、電子部品１４を収納するために凹部を設けた場合について述べたが、本発明はこれに限らず、例えば図２の対応部分に同一番号を付して示すテープ状部品包装体（図１６）に示すように、超薄型の電子部品８２を収納する場合に、凹部を設ける代わりに当該電子部品８２を一周に渡って囲うように電子部品８２の各辺とほぼ同じ大きさの突条部８３を設けるようにしても良い。
【０１０６】
これによりこのテープ状部品包装体８０では、長手方向における突条部８３と第１及び第２の溝部１６Ａ、１６Ｂの各間にカバーテープ１２を貼着させた場合において、当該カバーテープ１２に張力を生じさせ、この張力に基づきカバーテープ１２によって突条部８３内の電子部品８２を当該突条部８３内に囲まれた底面に押さえ込むようにすることより、振動等に起因する当該電子部品８２の突条部８３内での移動を防止することができる。
【０１０７】
さらに上述の実施の形態においては、内側部１７を第１及び第２の溝部１６Ａ、１６Ｂにより挟まれる部分について設けた場合について述べたが、本発明はこれに限らず、第１及び第２の溝部１６Ａ、１６Ｂを形成しない場合においては、キャリアテープ１１の幅方向の両端側に挟まれる部分について内側部１７を設けるようにしても良い。
【０１０８】
さらに上述の実施の形態においては、凸部１９の幅を当該凸部１９がエンボス部１３間の全体を占めるように設けるようにした場合について述べたが、本発明はこれに限らず、凸部１９をこの他種々の幅に選定することができる。このようにすれば、エンボス部１３と第１及び第２の溝部１６Ａ、１６Ｂの各間に、カバーテープ１２を貼着したときにこのカバーテープ１２により電子部品１４がエンボス部１３内に押し込まれる圧力を調整することができる。
【０１０９】
さらに上述の実施の形態においては、第１及び第２の溝部１６Ａ、１６Ｂの溝段部１６Ｃを、それぞれエンボス部１３と同じ深さに形成するようにした場合について述べたが、本発明はこれに限らず、溝段部１６Ｃをエンボス部１３に比べて僅かに深く形成するようにしても良く、要は、キャリアテープ１１の他面１１Ｂ側への溝段部１６Ｃの突出量をエンボス部１３の突出量と同じ又はこれよりも大きくするのであれば、溝段部１６Ｃの深さはエンボス部１３と同じでなくても良い。
【０１１０】
さらに上述の実施の形態においては、第１及び第２の溝部１６Ａ、１６Ｂの形状を図１のような形状とするようにした場合について述べたが、本発明はこれに限らず、要は、リール６（図１９）に巻き付けられたときに外周側のキャリアテープ１１のエンボス部１３の外側面によって内周側のキャリアテープ１１のエンボス部１３に収納された電子部品１４を押圧しないような形状であるのならば、第１及び第２の溝部１６Ａ、１６Ｂの形状としてはこの他種々の形状を広く適用することができ、または第１及び第２の溝部１６Ａ、１６Ｂを形成しない場合においても本発明を適用することができる。
【０１１１】
さらに上述の実施の形態においては、第１のテープ圧着部４３Ａ、４３Ｂにおいて加熱加工部４８及び冷却加工部４９は、天板４０と共に一体となり動作させるようにした場合について述べたが、本発明はこれに限らず、加熱加工部４８及び冷却加工部４９を別に動作させる又は別の装置とする等この他種々の形態を広く適用することができる。
【０１１２】
さらに上述の実施の形態においては、第２のテープ圧着部６３Ａ、６３Ｂにおいて加熱部６４Ａ、６４Ｂ及び冷却部６５Ａ、６５Ｂは、天板４０と共に一体となり動作させるようにした場合について述べたが、本発明はこれに限らず、加熱部６４Ａ、６４Ｂ及び冷却部６５Ａ、６５Ｂを別に動作させる又は別の装置とする等この他種々の形態を広く適用することができる。
【０１１３】
さらに上述の実施の形態においては、第１のテープ圧着部４３Ａ、４３Ｂにおいて加熱部４８Ａ及び冷却部４９Ａ並びに加熱部４８Ｂ及び冷却部４９Ｂが加熱加工部４８及び冷却加工部４９として別に形成されている場合について述べたが、本発明はこれに限らず、中央に断熱材などを介挿させて加熱加工部４８及び冷却加工部４９を一体として（テープ圧着加工部４３として）形成させるようにしても良い。
【０１１４】
さらに上述の実施の形態においては、第２のテープ圧着部６３Ａ、６３Ｂにおいて加熱部６４Ａ及び冷却部６５Ａ並びに加熱部６４Ｂ及び冷却部６５Ｂがそれぞれ別に形成されている場合について述べたが、本発明はこれに限らず、中央に断熱材などを介挿させて加熱部６４Ａ及び冷却部６５Ａ並びに加熱部６４Ｂ及び冷却部６５Ｂを一体として（テープ圧着加工部４３として）形成させるようにしても良い。
【０１１５】
さらに上述の実施の形態においては、第１のテープ圧着部４３Ａ、４３Ｂにおける加熱部４８Ａ、４８Ｂ及び冷却部４９Ａ、４９Ｂがテープ送り部３６の送りピッチに対応した所定長さに設定された場合について述べたが、本発明はこれに限らず、送りピッチを加熱部４８Ａ、４８Ｂ及び冷却部４９Ａ、４９Ｂの長さに対応させなくても良い。
【０１１６】
さらに上述の実施の形態においては、第２のテープ圧着部６３Ａ、６３Ｂにおける加熱部６４Ａ、６４Ｂ及び冷却部６５Ａ、６５Ｂがテープ送り部３６の送りピッチに対応した所定長さに設定された場合について述べたが、本発明はこれに限らず、送りピッチを加熱部６４Ａ、６４Ｂ及び冷却部６５Ａ、６５Ｂの長さに対応させなくても良い。
【０１１７】
さらに上述の実施の形態においては、第１のテープ貼着部４３Ａ、４３Ｂ及び第２のテープ貼着部６３Ａ、６３Ｂを順次加熱しながら冷却することにより、エンボス部１３と第１及び第２の溝部１６Ａ、１６Ｂの各間にカバーテープ１２を貼着する又はキャリアテープ１１にカバーテープ１２の両面端を貼着する場合について述べたが、本発明はこれに限らず、キャリアテープ１１及びカバーテープ１２の材質によっては圧接時に順次加熱しながら冷却する必要がなくても良く、また必要に応じてキャリアテープ１１及びカバーテープ１２間に貼着するときに粘着材を介挿するようにしても良い。
【産業上の利用可能性】
【０１１８】
本発明は、電子部品を収納するテープ状部品包装体の他に、電子部品以外の種々の部品を収納するテープ状部品包装体及び部品包装装置に広く適用することができる。
【図面の簡単な説明】
【０１１９】
【図１】（Ａ）は第１の実施の形態によるテープ状部品包装体の構成を示す平面図、（Ｂ）は（Ａ）のＢ１−Ｂ１´断面図、（Ｃ）は（Ａ）のＣ１−Ｃ１´断面図、（Ｄ）は（Ａ）のＤ１−Ｄ１´断面図、（Ｅ）は（Ａ）のＥ１−Ｅ１´断面図である。
【図２】（Ａ）は第１の実施の形態によるテープ状部品包装体の具体的構成を示す平面図、（Ｂ）は（Ａ）のＢ２−Ｂ２´断面図、（Ｃ）は（Ａ）のＣ２−Ｃ２´断面図である。
【図３】リールに巻回されたテープ状部品包装体の様子（１）の説明に供する断面図である。
【図４】リールに巻回されたテープ状部品包装体の様子（２）の説明に供する断面図である。
【図５】部品包装装置の構成を示す略線図である。
【図６】第１の実施の形態によるテープ貼着部での様子（１）の説明に供する略線図である。
【図７】第１の実施の形態によるテープ貼着部での様子（２）の説明に供する略線図である。
【図８】第１の実施の形態によるテープ貼着部での様子（３）の説明に供する略線図である。
【図９】第１の実施の形態によるテープ貼着部での様子（４）の説明に供する略線図である。
【図１０】第１のテープ圧着部の構成を示す略線的な側面図である。
【図１１】（Ａ）は第２の実施の形態によるテープ状部品包装体の構成を示す平面図、（Ｂ）は（Ａ）のＢ３−Ｂ３´断面図、（Ｃ）は（Ａ）のＣ３−Ｃ３´断面図、（Ｄ）は（Ａ）のＤ３−Ｄ３´断面図、（Ｅ）は（Ａ）のＥ３−Ｅ３´断面図である。
【図１２】第２の実施の形態によるテープ貼着部での様子（１）の説明に供する略線図である。
【図１３】第２の実施の形態によるテープ貼着部での様子（２）の説明に供する略線図である。
【図１４】テープ圧着部の構成を示す略線的な側面図である。
【図１５】（Ａ）は他の実施の形態によるテープ状部品包装体の構成（１）を示す平面図、（Ｂ）は（Ａ）のＢ４−Ｂ４´断面図、（Ｃ）は（Ａ）のＣ４−Ｃ４´断面図である。
【図１６】（Ａ）は他の実施の形態によるテープ状部品包装体の構成（２）を示す平面図、（Ｂ）は（Ａ）のＢ５−Ｂ５´断面図、（Ｃ）は（Ａ）のＣ５−Ｃ５´断面図である。
【図１７】従来のテープ状部品包装体の構成を示す略線的な斜視図である。
【図１８】エンボス部に収納された電子部品の状態を示す断面図である。
【図１９】リールに巻回されたテープ状部品包装体の様子を示す略線的な側面図である。
【図２０】段部が設けられたエンボス部の構成を示す断面図である。
【符号の説明】
【０１２０】
６……リール、１０、５０、７０、８０……テープ状部品包装体、１１、７１、８１……キャリアテープ、１２……カバーテープ、１３、７３……エンボス部、１４、７２、８２……電子部品、１４Ａ、８２Ａ……突起電極、１５……送り穴、１７……内側部、１８Ａ、１８Ｂ……第１の貼着部、３０、６０……部品包装装置、３１……電子部品供給部、３２……カバーテープ供給部、３２Ａ……カバーテープ供給リール、３３、６１……テープ貼着部、３４……テープ巻き出し部、３５……テープ巻き取り部、３６……テープ送り部、３７……搬送路、３８、６２……テープ貼着アーム、４０……天板、４３……テープ貼着加工部、４３Ａ、４３Ｂ……第１のテープ圧着部、４８……加熱加工部、４８Ａ、４８Ｂ、６４Ａ、６４Ｂ……加熱部、４９……冷却加工部、４９Ａ、４９Ｂ、６５Ａ、６５Ｂ……冷却部、４５Ａ、４５Ｂ……第２の固定ボルト、４７Ａ、４７Ｂ……テープ押さえ部、５１Ａ、５１Ｂ……第２の貼着部、６３Ａ、６３Ｂ……第２のテープ圧着部、７２Ａ……リード端子、７４……突起部、８３……突条部。
【図１】
2005219781.tif 000003
【図２】
2005219781.tif 000004
【図３】
2005219781.tif 000005
【図４】
2005219781.tif 000006
【図５】
2005219781.tif 000007
【図６】
2005219781.tif 000008
【図７】
2005219781.tif 000009
【図８】
2005219781.tif 000010
【図９】
2005219781.tif 000011
【図１０】
2005219781.tif 000012
【図１１】
2005219781.tif 000013
【図１２】
2005219781.tif 000014
【図１３】
2005219781.tif 000015
【図１４】
2005219781.tif 000016
【図１５】
2005219781.tif 000017
【図１６】
2005219781.tif 000018
【図１７】
2005219781.tif 000019
【図１８】
2005219781.tif 000020
【図１９】
2005219781.tif 000021
【図２０】
2005219781.tif 000022